(57)【要約】【課題】    室内側を木質部材で被覆するに際し、耐水性を付与しつつ、容易に組立・メンテナンスができるようにする。【解決手段】    障子３の戸当り框３１、召し合せ框３２及び上下框３４、３３の各框部材は、室外側の金属製框部材３ａと室内側の合成樹脂製框部材３ｂとでパネル取付溝４を形成して障子パネルＧを保持するとともに、合成樹脂製框部材３ｂは室内側に木質框部材３ｃの取付部を設けて木質框部材３ｃを着脱自在に固定しており、互いに対向する金属製戸当り框部材３１ａと竪枠部材２１と、合成樹脂製戸当り框部材３１ｂと竪枠部材２１と、金属製上下框部材３３ａ、３２ａと上下枠部材３３、３２と、合成樹脂製上下框部材３３ｂ、３２ｂと上下枠部材３３、３２と、のいずれか一方は他方に当接する止水部材を有し、室内外の召し合せ框３２、３２のいずれか一方は対向する他方に当接する止水部材を有している。【選択図】        図１
2007032219.tif 000002
【特許請求の範囲】
【請求項１】
障子の戸当り框、召し合せ框及び上下框の各框部材は、室外側の金属製框部材と室内側の合成樹脂製框部材と木質框部材とを備え、
各框部材は、室外側の金属製框部材と室内側の合成樹脂製框部材とでパネル取付溝を形成してパネル取付溝に障子パネルを保持するとともに、合成樹脂製框部材は室内側に木質框部材の取付部を設けて木質框部材を着脱自在に固定しており、
互いに対向する金属製框部材と枠部材とのいずれか一方、及び、互いに対向する合成樹脂製框部材と枠部材とのいずれか一方、は各々いずれか他方側に当接する止水部材を有し、室内外に配置する召し合せ框のいずれか一方の金属製召し合せ框部材は対向する他方の金属製召し合せ框部材に当接する止水部材を有していることを特徴とする建具用の複合サッシ。
【発明の詳細な説明】
【技術分野】
【０００１】
本発明は、建具に関し、特に金属製部材と合成樹脂製部材と木質部材とで構成して断熱性を確保するとともに室内側に木質外観を付与するのに好適な複合サッシに関するものである。
【背景技術】
【０００２】
従来、上記した複合サッシとして、例えば、特許文献１では金属製外枠材に固定した熱可塑性樹脂から成る中間枠材の室内側に木質材料から成る内枠材を磁力または面ファスナーによって着脱自在に固着している。また、特許文献２では水に触れない部位で室内側から内観可能な部位を非耐水性部材（合成木材または木材）で形成し、水に触れる部位を耐水性部材で形成したものが開示されている。
【０００３】
【特許文献１】特開２００３−１４８０５７号公報
【特許文献２】特開２００１−１９３３６２号公報
【発明の開示】
【発明が解決しようとする課題】
【０００４】
ところが、上記した従来の複合サッシでは、例えば特許文献１の場合、木質材料の固着は容易であるが、開閉時の衝撃等で容易に外れたりする危険性があり、且つ、サッシ下部の耐水性が十分保証されるものでないという問題点がある。また、特許文献２の場合、竪框の室内側部材が上部は非耐水性部材で、下端部は耐水性部材で形成するものであるから耐水性の問題は解決できるが、窓自体の構成が複雑になり、部材の固定方法もねじ止めなどに頼るためにメンテナンス時などの着脱が面倒である、といった問題があり、これらの問題を解決することが従来の課題となっている。
【課題を解決するための手段】
【０００５】
本発明の請求項１に係わる複合サッシは、障子の戸当り框、召し合せ框及び上下框の各框部材は、室外側の金属製框部材と室内側の合成樹脂製框部材と木質框部材とを備え、各框部材は、室外側の金属製框部材と室内側の合成樹脂製框部材とでパネル取付溝を形成してパネル取付溝に障子パネルを保持するとともに、合成樹脂製框部材は室内側に木質框部材の取付部を設けて木質框部材を着脱自在に固定しており、互いに対向する金属製框部材と枠部材とのいずれか一方、及び、互いに対向する合成樹脂製框部材と枠部材とのいずれか一方、は各々いずれか他方側に当接する止水部材を有し、室内外に配置する召し合せ框のいずれか一方の金属製召し合せ框部材は対向する他方の金属製召し合せ框部材に当接する止水部材を有している構成を前述した従来の課題を解決するための手段としている。
【発明の効果】
【０００６】
本発明の請求項１に係わる複合サッシにおいて、木質框部材が合成樹脂製框部材の室内側面に着脱自在に固定してあるから、室内側では結露が防止できるとともに、木質の温かみのあるサッシ内観が得られ、また、これらの木質框部材は合成樹脂製框部材に着脱自在に固定したものであるから組立、取付施工或いはメンテナンス時に取り付け、取り外しが容易である。そして、枠部材と框部材との間及び内外の召し合せ框間は各々框部材または枠部材に取り付けた止水部材によって塞がれているので雨水等が室内側に流れ込むことが無く、木質部材の耐水性を気にする必要がない。
【発明を実施するための最良の形態】
【０００７】
以下、本発明を図面に基づいて説明する。図１〜図５は本発明に係わる複合サッシの第一実施形態を示しており、図１は第一実施形態の複合サッシ１の縦断面説明図、図２はその横断面説明図を表わしている。
【０００８】
図１及び図２に示す通り、第一実施形態の複合サッシ１の枠２は左右の竪枠２１、２１、上枠２２及び下枠２３でその四周を形成しており、障子３は戸当り框３１、召し合せ框３２、上框３３及び下框３４でその四周を形成している。枠２の竪枠２１の金属製竪枠材２１ａ及び上下枠２２、２３の金属製上下枠部材２２ａ、２３ａは各々室内外の金属製枠材を樹脂材で連結して室外側の金属製枠材の熱が室内側の金属製枠材に伝わらない構造とした所謂断熱構造の形材を使用しており、そして、竪枠２１、２１は左右の戸当り框３１、３１が突き当たる位置の金属製竪枠材２１ａ，２１ａの内周側面に合成樹脂製竪枠材２１ｂ，２１ｂを固定してあり、また、金属製上下枠材２２ａ，２３ａの内周側面には合成樹脂製上下枠材２２ｂ，２３ｂを固定してある。
【０００９】
各竪枠２１、２１、上枠２２及び下枠２３は各々躯体Ｋに固定する金属製枠部材２ａ（２１ａ、２２ａ、２３ａ）と金属製枠部材２ａ（２１ａ、２２ａ、２３ａ）の室内側内周面を被覆する合成樹脂製枠部材２ｂ（２１ｂ、２２ｂ、２３ｂ）と金属製枠部材２ａ（２１ａ、２２ａ、２３ａ）の室内側露出面を被覆する木質枠部材２ｃ（２１ｃ、２２ｃ、２３ｃ）とを備えている。各戸当り框３１、召し合せ框３２、上框３３及び下框３４は各々室外側の金属製框部材３ａ（３１ａ、３２ａ、３３ａ、３４ａ）と室内側の合成樹脂製框部材３ｂ（３１ｂ、３２ｂ、３３ｂ、３４ｂ）とでパネル取付溝４を形成してパネル取付溝４に障子パネルＧを保持するとともに、合成樹脂製框部材３ｂ（３１ｂ、３２ｂ、３３ｂ、３４ｂ）は室内側に木質框部材３ｃ（３１ｃ、３２ｃ、３３ｃ、３４ｃ）を固定している。
【００１０】
戸当り框３１を構成する金属製戸当り框部材３１ａは金属製竪枠部材２１ａに当接する止水部材５１を有し、また、合成樹脂製竪枠部材２１ｂは合成樹脂製戸当り框部材３１ｂに当接する止水部材５２を有して竪枠２１と戸当り框３１との突合せ面から室内側への雨水などの浸入を防いでいる。
【００１１】
上下框３３，３４を構成する金属製上下框部材３３ａ、３４ａは金属製上下枠部材２２ａ、２３ａの室外側面に当接する止水部材５５、５５を有し、同じく上下框３３，３４を構成する合成樹脂製上下框部材３３ｂ、３４ｂは合成樹脂製上下枠部材２２ｂ、２３ｂの室内側面に当接する止水部材５６、５６を有し、上下枠２２、２３と上下框３３、３４との隙間から室内側への雨水などの浸入を防いでいる。
【００１２】
室外側に配置する召し合せ框３２の金属製召し合せ框部材３２ａ及び合成樹脂製召し合せ框部材３２ｂは対向する室内側の召し合せ框３２の金属製召し合せ框部材３２ａの室外側面に各々当接する止水部材５３、５４を有して、室内外に配置した召し合せ框３２、３２間の隙間から室内側への雨水などの浸入を防いでいる。
【００１３】
ここまでは主として本発明の第一実施形態に用いた複合サッシ１の金属製部材及び樹脂製部材の詳細について説明した。以下では、本発明の第一実施形態に用いた木質部材の詳細について説明する。
【００１４】
本発明の第一実施形態における複合サッシ１に使用した木質部材は図１及び図２に示す通り、竪枠２１の室内側面に固定する木質竪枠材２１ｃ、上下枠２２，２３の室内側面に固定する木質上下枠材２２ｃ，２３ｃ、左右の戸当り框３１，３１に固定する木質戸当り（竪框）部材３１ｃ，３１ｃ、室内外の召し合せ框３２，３２に固定する木質召し合せ框（竪框）部材３２ｃ，３２ｃ、及び、上下框３３，３４に固定する木質上下框部材３３ｃ，３４ｃの各々はいずれも枠２及び障子３の金属製部材または合成樹脂製部材の室内側面（見付け面）を隠蔽して室内側面に固定してある。また、室内側障子３の召し合せ框３２の外周側面及びこれに対向する竪枠２１の内周側面には各々の面に露出する合成樹脂製框部材３２ｄ及び金属製竪枠部材２１ａを隠蔽する木質召し合せ框部材３２ｄ及び木質竪枠部材２１ｄを固定してある。
【００１５】
以下には更に具体的に上記した木質部材の取り付け方法について述べる。
【００１６】
図３は木質上框部材の取り付け固定方法の一例として、障子３の上框３３における木質上框部材３３ｃの取り付け固定方法を具体的に表している。室外側合成樹脂製上框部材３３ｂには室内側に突出する係止凸条６１を設けるとともに室内側凹溝６３内に受けピース６７を固定してあり、室外側木質上框部材３３ｃは係止凸条６１を呑み込む係止溝６２を設けるとともに受けピース６７に対応する室外側面の位置に取り付けピース６８を固定してある。受けピース６７は室内側凹溝６３に平行且つ、互いに対面して開口する一対の嵌合凹溝６７１、６７１を有し、取り付けピース６８は木質上框部材３３ｃの室外側面に嵌合凹溝６７１、６７１と嵌合可能に設けた略Ｔ字状の嵌合突起６８１を有している。図３に矢印で取り付け時の動きを示したように室外側木質上框部材３３ｃは係止溝６２に室外側合成樹脂製上框部材３３ｂの係止凸条６１を呑み込ませて上下方向の位置を規制するとともに、室外側木質上框部材３３ｃを左右方向にスライドして嵌合突起６８１を嵌合凹溝６７１、６７１内に嵌合させることによって室内外方向の移動を規制している。
【００１７】
改めて本発明の第一実施形態の複合サッシ１における引き違い障子３、３の各合成樹脂製框部材への各木質框部材の取り付け固定手順を順を追って以下に説明する。
【００１８】
初めに、障子３、３の左右を引き違わせて室外側召し合せ框３２の室内側面が室内側に露出するようにする。室外側障子３の召し合せ框３２は室内側面の上下方向中間位置にクレセント受けを取り付けてあるので、図示は省略するがその室内側面に固定する木質召し合せ框部材３２ｃは上下に分割して取り付けるものであり、上部木質召し合せ框部材３２ｃは下端面をクレセント受けの上面に当接し、下部木質召し合せ框部材３２ｃは上端面をクレセント受けの下面に当接するように各々図３を用いて上記に説明したと同様の受けピース６７、取り付けピース６８によって合成樹脂製召し合せ框部材３２ｂに取り付け、上下方向の移動を規制するために各々室内側から合成樹脂製召し合せ框部材３２ｂを貫通する固定ねじを用いて金属製召し合せ框部材３２ａに固定している。次いで、室外側障子３の木質下框部材３４ｃ及び木質上框部材３３ｃの端面を各々上記した木質召し合せ框部材３２ｃに当接させて、各々図３を用いて上記に説明した受けピース６７、取り付けピース６８によって合成樹脂製下框部材３４ｂ及び合成樹脂製上框部材３３ｂに取り付ける。続いて、室外側障子３の木質戸当り框部材３１ｃを上記に図３を用いて説明したと同様の受けピース６７、取り付けピース６８によって合成樹脂製戸当り框部材３１ｂに取り付け、図示は省略するがこの戸当り框３１の室内側面上下方向略中間位置に取り付ける引き手ピースとともに室内側から合成樹脂製戸当り框部材３１ｂを貫通する固定ねじを用いて金属製戸当り框部材３１ａに固定して、木質戸当り框部材３１ｃを固定するとともに木質戸当り框部材３１ｃに木質上下框部材３３ｃ、３４ｃの端面を当接して木質上下框部材３３ｃ、３４ｃの左右方向への移動を規制しており、以上の手順によって室外側障子３の各木質框部材の取り付け固定を完了する。
【００１９】
続いて、室内側召し合せ框３２への木質召し合せ框部材３２ｃ、３２ｄの取り付けについて図４を用いて説明する。室内側召し合せ框３２は図２に示すように金属製室内側召し合せ框部材３２ａの室内側面及び外周側面を合成樹脂製室内側召し合せ框部材３２ｂで被覆し、更に、合成樹脂製室内側召し合せ框部材３２ｂの室内側面を木質室内側召し合せ框部材３２ｃで被覆するとともに、外周側面を木質室内側召し合せ框部材３２ｄで被覆しているものである。また、室内側障子３の召し合せ框３２は外周側面の上下方向中間位置にクレセント７２を取り付けてある。クレセント７２は矩形のクレセントケース７２ａのクレセントハンドル側面を上下方向及び室内側方向に張り出して木質框部材押え７２ｂとしてある。室内側召し合せ框３２の外周側面を被覆する木質召し合せ框部材３２ｄはクレセントケース７２ａと重なる部分を切り欠いてあり、この木質召し合せ框部材３２ｄの切り欠き部６４にクレセントケース７２ａを呑み込ませて木質召し合せ框部材３２ｄで合成樹脂製室内側召し合せ框部材３２ｂの外周側面を被覆するとともに、クレセントケース７２ａの木質框部材押え７２ｂで木質召し合せ框部材３２ｄの外周側方向への移動を規制するとともに、木質召し合せ框部材３２ｄの室外側面に当接する合成樹脂製召し合せ框部材３２ｂの室外側から固定ねじでねじ止め固定している。更に、木質召し合せ框部材３２ｄは室内側面に係合凸条６５を有し、木質召し合せ框部材３２ｃは室外側面に係合凸条６５と係合可能に設けた係合凹溝６６を有し、室内側合成樹脂製召し合せ框部材３２ｂの室内側には受けピース６７を固定してあり、木質召し合せ框部材３２ｃの室外側には取り付けピース６８を固定してある。上記した上框３３における木質上框部材３３ｃの取り付け固定方法（図３）と同様の手順で、木質召し合せ框部材３２ｃの室外側に設けた係止溝６２及び係合凹溝６６に、室内側合成樹脂製召し合せ框部材３２ｂの係止凸条６１及び木質召し合せ框部材３２ｄの係合凸条６５を呑み込ませて室内側木質召し合せ框部材３２ｃの左右方向の位置を規制するとともに、室内側木質召し合せ框部材３２ｃを下方にスライドして取り付けピース６８と受けピース６７とを嵌合させることによって、室内側合成樹脂製召し合せ框部材３２ｂに取り付け固定している。このように室内側召し合せ框の室内側面に室内側木質召し合せ框部材３２ｃを固定することによって、室内側召し合せ框の外周側面に取り付けた木質召し合せ框部材３２ｄも確実に固定される。更に室内側木質召し合せ框部材３２ｃは図示を省略するが上端部に固定金具を取り付けてあり、固定ねじによって室内側合成樹脂製召し合せ框部材３２ｂを貫通して室内側金属製召し合せ框部材３２ａに固定することによって上下方向の移動をも規制している。
【００２０】
次いで、室内側障子３の木質下框部材３４ｃ及び木質上框部材３３ｃの端面を各々上記した木質召し合せ框部材３２ｃに当接させて、各々図３によって上記に説明した受けピース６７、取り付けピース６８によって合成樹脂製下框部材３４ｂ及び合成樹脂製上框部材３３ｂに取り付ける。続いて、室内側障子３の木質戸当り框部材３１ｃを上記に図３を用いて説明したと同様の受けピース６７、取り付けピース６８によって合成樹脂製戸当り框部材３１ｂに取り付け、図示は省略するがこの戸当り框３１の室内側面上下方向略中間位置に取り付ける引き手ピースとともに室内側から合成樹脂製戸当り框部材３１ｂを貫通する固定ねじを用いて金属製戸当り框部材３１ａに固定し、木質戸当り框部材３１ｃを固定するとともに木質戸当り框部材３１ｃに木質上下框部材３３ｃ、３４ｃの端面を当接して木質上下框部材３３ｃ、３４ｃの左右方向への移動を規制している。以上の手順によって本発明の第一実施形態の複合サッシ１における引き違い障子３、３の各合成樹脂製框部材及び金属製框部材への各木質框部材の取り付け固定を完了する。
【００２１】
また、図５は図１に示した上枠２２の部分における金属製上枠部材２２ａへの木質上枠部材２２ｃの取り付け固定方法の説明図である。図５に示すように、上枠２２の室内側に取り付ける木質上枠部材２２ｃは室外側に嵌合ピース８１を所定間隔で固定してあり、金属製上枠部材２２ａの室内側には一対の凸条を互いに平行に室内側に突出して溝状に形成した嵌合溝８２を設けてある。嵌合溝８２の溝内壁面は開口縁に平行に設けた波状の凹凸面としてあり、嵌合ピース８１の室外側端縁部に突起部を設けて、図５（ａ）の状態から図５（ｂ）の状態へと嵌合溝８２に嵌合ピース８１を嵌入したときに容易には外れないようになっている。金属製上枠部材２２ａと木質上枠部材２２ｃとはこのように設けてあるので金属製上枠部材２２ａの嵌合溝８２に木質上枠部材２２ｃの嵌合ピース８１を嵌入するだけで容易に一体化できる。下枠２３においても同様の方法で金属製下枠部材２３ａと木質下枠部材２３ｃとを容易に一体化できるように設けてある。左右の竪枠２１、２１の室内側に取り付ける木質竪枠部材２１ｃは合成樹脂製竪枠部材２１ｂの内周側面から固定ねじによってねじ止め固定する。
【００２２】
以上、本発明の第一実施形態について詳細に説明してきた構造を有することによって、本発明は室内側に木質外観を付与するとともに耐水性、組立性、メンテナンス性に優れた複合サッシを得ることができる。
【００２３】
本発明は、上記した実施の形態に限らず、本発明の趣旨を逸脱しない範囲で種々の変更が可能である。例えば上記した実施の形態では本発明を引き違いサッシに適用した場合を説明したが、引き違いサッシに限るものでなく片引きサッシや開きサッシ、上げ下げサッシなど各種の複合サッシに適用することができる。
【図面の簡単な説明】
【００２４】
【図１】第一実施形態の複合サッシの縦断面説明図である。
【図２】第一実施形態の複合サッシの横断面説明図である。
【図３】上框における合成樹脂製上框部材への木質上框部材の取り付け固定方法の説明斜視図である。
【図４】室内側召し合せ框における合成樹脂製室内側召し合せ框部材への木質室内側召し合せ框部材の取り付け固定方法の説明斜視図である。
【図５】上枠における金属製上枠部材への木質上枠部材の取り付け固定方法の説明図であり、（ａ）は嵌合前、（ｂ）は嵌合後を表す。
【符号の説明】
【００２５】
１・・・複合サッシ
２・・・枠（枠部材）  ２１・・・竪枠  ２２・・・上枠  ２３・・・下枠
２１ａ・・・金属製竪枠部材  ２１ｂ・・・合成樹脂製竪枠部材
２１ｃ・・・木質竪枠部材  ２２ａ・・・金属製上枠部材
２２ｂ・・・合成樹脂製上枠部材  ２２ｃ・・・木質上枠部材
２３ａ・・・金属製下枠部材  ２３ｂ・・・合成樹脂製下枠部材
２３ｃ・・・木質下枠部材
３・・・障子（框部材）  ３１・・・戸当り框  ３２・・・召し合せ框
３３・・・上框  ３４・・・下框  ３ａ・・・金属製框部材
３ｂ・・・合成樹脂製框部材  ３ｃ・・・木質框部材
３１ａ・・・金属製戸当り框部材  ３１ｂ・・・合成樹脂製戸当り框部材
３１ｃ・・・木質戸当り框部材  ３２ａ・・・金属製召し合せ框部材
３２ｂ・・・合成樹脂製召し合せ框部材  ３２ｃ・・・木質召し合せ框部材
３３ａ・・・金属製上框部材  ３３ｂ・・・合成樹脂製上框部材
３３ｃ・・・木質上框部材  ３４ａ・・・金属製下框部材
３４ｂ・・・合成樹脂製下框部材  ３４ｃ・・・木質下框部材
４・・・パネル取付溝  ５１，５２，５３，５４，５５，５６・・・止水部材
６１，６５・・・係止凸条  ６２，６６・・・係止溝
６３・・・室内側凹溝  ６４・・・切り欠き部  ６７・・・受けピース
６７１・・・鉤状突起  ６８・・・取り付けピース  ６８１・・・係合突起
７２・・・クレセント  ７２ａ・・・クレセントケース  ７２ｂ・・・木質部材押え
８１・・・嵌合ピース  ８２・・・嵌合溝
Ｇ・・・障子パネル  Ｋ・・・躯体
【図１】
2007032219.tif 000003
【図２】
2007032219.tif 000004
【図３】
2007032219.tif 000005
【図４】
2007032219.tif 000006
【図５】
2007032219.tif 000007